(57)【特許請求の範囲】
【請求項１】
扉枠（２）に取り付けられた捕捉装置（６）と扉（３）に取り付けられた被捕捉装置（７）とを有し、前記扉（３）が閉まる際に前記捕捉装置（６）に水平方向に回動自在に設けられた扉アーム（２０）で前記被捕捉装置（７）の被捕捉体（３１）を捕捉し、その状態で前記扉アーム（２０）を前記扉枠（２）側に回動させて前記被捕捉装置（７）を引き寄せることにより、前記扉（３）を閉扉状態に導く閉扉装置（１）であって、
前記被捕捉装置（７）は、
前記扉（３）の板面に固定して取り付けられた支持体（３０）と、
前記支持体（３０）の先端部から上方に突き出ている前記被捕捉体（３１）と、
前記被捕捉体（３１）の前記扉アーム（２０）に対する上下方向の位置を調節するための調節機構（３７）と、
前記調節機構（３７）によりその上下方向の位置を調節可能な被捕捉体ユニット（３２）と、を有し、
前記被捕捉体ユニット（３２）は、
前記被捕捉体（３１）と、
前記被捕捉体（３１）を互いに同軸的にスライド可能に収容している筒状のユニット本体（３３）と、
前記被捕捉体（３１）を当該ユニット本体（３３）から上方に突き出させた状態に弾力的に支えている弾性部材（３４）と、を有し、
前記支持体（３０）は、その先端部に上下方向に貫通した貫通孔（３０ｄ）を有し、当該貫通孔（３０ｄ）に前記被捕捉体ユニット（３２）が装着されており、
当該貫通孔（３０ｄ）の少なくとも一部分が螺子孔部（３０ｄ１）として機能し、前記ユニット本体（３３）の少なくとも一部分が当該螺子孔部（３０ｄ１）に螺合する螺子部（３３ｃ）として機能することにより前記調節機構（３７）が構成され、
前記ユニット本体（３３）は、その下端部に角部が丸みを帯びた多角形状の拡径部（３３ｄ）を有し、
前記貫通孔（３０ｂ）は、その下端から前記ユニット本体（３３）の前記拡径部（３３ｄ）の上下移動を許容する所定範囲の部分に辺部が内側に凸となるように円弧状に丸みを帯びた多角形状の拡径部（３０ｄ２）を有し、
前記ユニット本体（３３）の前記拡径部（３３ｄ）と前記貫通孔（３０ｄ）の前記拡径部（３０ｄ２）とが互いに嵌合することにより、前記ユニット本体（３３）の前記支持体（３０）に対する上下位置調節後における動きを防止するように構成されている、閉扉装置。
【請求項２】
前記支持体（３０）及び前記ユニット本体（３３）は、その一方又は両方が弾性変形することにより、前記支持体（３０）に対する前記ユニット本体（３３）の回動操作を許容するように構成されている、請求項１記載の閉扉装置。
【請求項３】
前記被捕捉装置（７）は、
前記支持体（３０）の側面及び下面を覆うカバー（３６）を有し、
当該カバー（３６）は、
前記支持体（３０）を前記扉（３）の板面に取り付けた状態で前記支持体（３０）の下方から上向きにスライドさせて装着可能に構成されている、請求項１又は２記載の閉扉装置。
【請求項４】
扉枠（２）に取り付けられた捕捉装置（６）と扉（３）に取り付けられた被捕捉装置（７）とを有し、前記扉（３）が閉まる際に前記捕捉装置（６）に水平方向に回動自在に設けられた扉アーム（２０）で前記被捕捉装置（７）の被捕捉体（３１）を捕捉し、その状態で前記扉アーム（２０）を前記扉枠（２）側に回動させて前記被捕捉装置（７）を引き寄せることにより、前記扉（３）を閉扉状態に導く閉扉装置（１）の前記被捕捉装置（７）であって、
前記扉（３）の板面に固定して取り付けられた支持体（３０）と、
前記支持体（３０）の先端部から上方に突き出ている前記被捕捉体（３１）と、
前記被捕捉体（３１）の前記扉アーム（２０）に対する上下方向の位置を調節するための調節機構（３７）と、
前記調節機構（３７）によりその上下方向の位置を調節可能な被捕捉体ユニット（３２）と、を有し、
前記被捕捉体ユニット（３２）は、
前記被捕捉体（３１）と、
前記被捕捉体（３１）を互いに同軸的にスライド可能に収容している筒状のユニット本体（３３）と、
前記被捕捉体（３１）を当該ユニット本体（３３）から上方に突き出させた状態に弾力的に支えている弾性部材（３４）と、を有し、
前記支持体（３０）は、その先端部に上下方向に貫通した貫通孔（３０ｄ）を有し、当該貫通孔（３０ｄ）に前記被捕捉体ユニット（３２）が装着されており、
当該貫通孔（３０ｄ）の少なくとも一部分が螺子孔部（３０ｄ１）として機能し、前記ユニット本体（３３）の少なくとも一部分が当該螺子孔部（３０ｄ１）に螺合する螺子部（３３ｃ）として機能することにより前記調節機構（３７）が構成され、
前記ユニット本体（３３）は、その下端部に角部が丸みを帯びた多角形状の拡径部（３３ｄ）を有し、
前記貫通孔（３０ｂ）は、その下端から前記ユニット本体（３３）の前記拡径部（３３ｄ）の上下移動を許容する所定範囲の部分に辺部が内側に凸となるように円弧状に丸みを帯びた多角形状の拡径部（３０ｄ２）を有し、
前記ユニット本体（３３）の前記拡径部（３３ｄ）と前記貫通孔（３０ｄ）の前記拡径部（３０ｄ２）とが互いに嵌合することにより、前記ユニット本体（３３）の前記支持体（３０）に対する上下位置調節後における動きを防止するように構成した、被捕捉装置。
【請求項５】
前記支持体（３０）及び前記ユニット本体（３３）は、その一方又は両方が弾性変形することにより、前記支持体（３０）に対する前記ユニット本体（３３）の回動操作を許容するように構成されている、請求項４記載の被捕捉装置。
【請求項６】
前記支持体（３０）の側面及び下面を覆うカバー（３６）を有し、
当該カバー（３６）は、
前記支持体（３０）を前記扉（３）の板面に取り付けた状態で前記支持体（３０）の下方から上向きにスライドさせて装着可能に構成されている、請求項４又は５記載の被捕捉装置。
【発明の詳細な説明】
【技術分野】
【０００１】
本発明は、玄関や部屋の出入口を開閉する扉を強制的に且つ静かに閉めるための閉扉装置に関するものである。
【背景技術】
【０００２】
従来の閉扉装置として、図１４に示すように、扉Ａに取り付けられた捕捉装置１０１と扉枠Ｂに取り付けられた被捕捉装置１０２とを有するものがある。この従来の閉扉装置１００は、扉Ａが閉まる際に捕捉装置１０１の扉アーム１０４で被捕捉装置１０２の被捕捉体（摺動体）１０２ａを捕捉し、その扉アーム１０４を扉Ａ側に回動させて捕捉装置１０１とピン１０２ａとを互いに引き寄せることにより、扉Ａを閉扉状態に導く。捕捉装置１０１内には、扉アーム１０４の回動軸に常に抵抗力を作用させて扉アーム１０４の急激な回動を防止する回動式の緩衝機構が設けられており、その働きによって扉Ａが静かに閉まる（特許文献１）。
【先行技術文献】
【特許文献】
【０００３】
【特許文献１】特開２００７−１２０１４０号公報
【発明の概要】
【発明が解決しようとする課題】
【０００４】
しかし、上述した従来の閉扉装置１００の被捕捉装置１０２は、被捕捉体１０２ａの上下方向の保持位置を調節する機構を備えていないため、扉アーム１０４による被捕捉体１０２ａの捕捉が確実になされるように、扉アーム１０４に対する被捕捉体１０２ａの上下位置を取り付け後に調節することができない。このため、扉枠Ｂに対する被捕捉装置１０２の位置決めを当初から高精度に行わなければならないという問題があった。
【０００５】
本発明が解決しようとする課題は、扉アームに対する被捕捉体の上下位置を扉への取り付け後に調節することができ且つ調節後における被捕捉体の保持位置の変位を防止できる被捕捉装置、及び当該被捕捉装置を備えた閉扉装置を提供することにある。
【課題を解決するための手段】
【０００６】
［閉扉装置］
上記課題を解決するために、本発明の閉扉装置は、扉枠に取り付けられた捕捉装置と扉に取り付けられた被捕捉装置とを有し、前記扉が閉まる際に前記捕捉装置に水平方向に回動自在に設けられた扉アームで前記被捕捉装置の被捕捉体を捕捉し、その状態で前記扉アームを前記扉枠側に回動させて前記被捕捉装置を引き寄せることにより、前記扉を閉扉状態に導く閉扉装置であって、
前記被捕捉装置は、
前記扉の板面に固定して取り付けられた支持体と、
前記支持体の先端部から上方に突き出ている前記被捕捉体と、
前記被捕捉体の前記扉アームに対する上下方向の位置を調節するための調節機構と、
前記調節機構によりその上下方向の位置を調節可能な被捕捉体ユニットと、を有し、
前記被捕捉体ユニットは、
前記被捕捉体と、
前記被捕捉体を互いに同軸的にスライド可能に収容している筒状のユニット本体と、
前記被捕捉体を当該ユニット本体から上方に突き出させた状態に弾力的に支えている弾性部材と、を有し、
前記支持体は、その先端部に上下方向に貫通した貫通孔を有し、当該貫通孔に前記被捕捉体ユニットが装着されており、
当該貫通孔の少なくとも一部分が螺子孔部として機能し、前記ユニット本体の少なくとも一部分が当該螺子孔部に螺合する螺子部として機能することにより前記調節機構が構成され、
前記ユニット本体は、その下端部に角部が丸みを帯びた多角形状の拡径部を有し、
前記貫通孔は、その下端から前記ユニット本体の拡径部の上下移動を許容する所定範囲の部分に辺部が内側に凸となるように円弧状に丸みを帯びた多角形状の拡径部を有し、
前記ユニット本体の拡径部と前記貫通孔の拡径部とが互いに嵌合することにより、前記ユニット本体の前記支持体に対する上下位置調節後における動きを防止するように構成したものである。
【０００７】
上記のように構成された閉扉装置は、被捕捉体を有する被捕捉体ユニットの上下方向の保持位置を調節するための調節機構を備えているので、扉を閉じたときに被捕捉体が扉アームに確実に捕捉されるように、被捕捉体ユニットを上下させて扉アームと被捕捉体との上下方向の相対位置を適切に調整することができる。被捕捉体ユニットのユニット本体に設けられた角部が丸みを帯びた多角形状の拡径部と支持体の貫通孔に設けられた円弧状に丸みを帯びた多角形状の拡径部とが互いに嵌合することにより、ユニット本体の支持体に対する上下位置調節後における動きを防止するように構成されているので、被捕捉体の保持位置を被捕捉体ユニットごと上下させて調節するとともに、調節後における被捕捉体の保持位置の不用意な変位を確実に防止できる。
【０００８】
本発明の閉扉装置において、前記支持体及び前記ユニット本体は、その一方又は両方が弾性変形することにより、前記支持体に対する前記ユニット本体の回動操作を許容するように構成されていることが望ましい。
【０００９】
また、前記被捕捉装置は、前記支持体の側面及び下面を覆うカバーを有し、当該カバーは、前記支持体を前記扉の板面に取り付けた状態で前記支持体の下方から上向きにスライドさせて装着可能に構成されていることが望ましい。
［被捕捉装置］
上記課題を解決するために、本発明の被捕捉装置は、扉枠に取り付けられた捕捉装置と扉に取り付けられた被捕捉装置とを有し、前記扉が閉まる際に前記捕捉装置に水平方向に回動自在に設けられた扉アームで前記被捕捉装置の被捕捉体を捕捉し、その状態で前記扉アームを前記扉枠側に回動させて前記被捕捉装置を引き寄せることにより、前記扉を閉扉状態に導く閉扉装置の前記被捕捉装置であって、
前記扉の板面に固定して取り付けられた支持体と、
前記支持体の先端部から上方に突き出ている前記被捕捉体と、
前記被捕捉体の前記扉アームに対する上下方向の位置を調節するための調節機構と、
前記調節機構によりその上下方向の位置を調節可能な被捕捉体ユニットと、を有し、
前記被捕捉体ユニットは、
前記被捕捉体と、
前記被捕捉体を互いに同軸的にスライド可能に収容している筒状のユニット本体と、
前記被捕捉体を当該ユニット本体から上方に突き出させた状態に弾力的に支えている弾性部材と、を有し、
前記支持体は、その先端部に上下方向に貫通した貫通孔を有し、当該貫通孔に前記被捕捉体ユニットが装着されており、
当該貫通孔の少なくとも一部分が螺子孔部として機能し、前記ユニット本体の少なくとも一部分が当該螺子孔部に螺合する螺子部として機能することにより前記調節機構が構成され、
前記ユニット本体は、その下端部に角部が丸みを帯びた多角形状の拡径部を有し、
前記貫通孔は、その下端から前記ユニット本体の拡径部の上下移動を許容する所定範囲の部分に辺部が内側に凸となるように円弧状に丸みを帯びた多角形状の拡径部を有し、
前記ユニット本体の拡径部と前記貫通孔の拡径部とが互いに嵌合することにより、前記ユニット本体の前記支持体に対する上下位置調節後における動きを防止するように構成したことを特徴とするものである。
【００１０】
上記のように構成された被捕捉装置は、被捕捉体を有する被捕捉体ユニットの上下方向の保持位置を調節するための調節機構を備えているので、扉を閉じたときに被捕捉体が扉アームに確実に捕捉されるように、被捕捉体ユニットを上下させて扉アームと被捕捉体との上下方向の相対位置を適切に調整することができる。被捕捉体ユニットのユニット本体に設けられた角部が丸みを帯びた多角形状の拡径部と支持体の貫通孔に設けられた円弧状に丸みを帯びた多角形状の拡径部とが互いに嵌合することにより、ユニット本体の支持体に対する上下位置調節後における動きを防止するように構成されているので、被捕捉体の保持位置を被捕捉体ユニットごと上下させて調節するとともに、調節後における被捕捉体の保持位置の不用意な変位を確実に防止できる。
【００１１】
本発明の閉扉装置において、前記支持体及び前記ユニット本体は、その一方又は両方が弾性変形することにより、前記支持体に対する前記ユニット本体の回動操作を許容するように構成されていることが望ましい。
【００１２】
また、前記被捕捉装置は、前記支持体の側面及び下面を覆うカバーを有し、当該カバーは、前記支持体を前記扉の板面に取り付けた状態で前記支持体の下方から上向きにスライドさせて装着可能に構成されていることが望ましい。
【発明の効果】
【００１３】
本発明の閉扉装置及び被捕捉装置によれば、扉アームに対する被捕捉体の上下位置を扉への取り付け後に調節することができ且つ調節後における被捕捉体の保持位置の不用意な変位を確実に防止できる。
【図面の簡単な説明】
【００１４】
【図１】本発明の閉扉装置を備えた扉装置の形態例を示す部分斜視図
【図２】扉装置を別の向きから視た部分斜視図
【図３】閉扉装置の捕捉装置が取り付けられている部分を示す部分断面図
【図４】閉扉装置の捕捉装置の分解斜視図
【図５】扉装置の部分正面図
【図６】図５のＡ−Ａ断面図
【図７】（Ａ）は閉扉装置の扉アームが待機姿勢にあるときの捕捉装置内の状態を示す平面図  （Ｂ）は閉扉装置の扉アームが収納姿勢にあるときの捕捉装置内の状態を示す平面図
【図８】（Ａ）は被捕捉装置の分解斜視図  （Ｂ）は被捕捉装置の斜視図
【図９】（Ａ）は被捕捉装置の正面図  （Ｂ）は被捕捉装置の平面図  （Ｃ）は被捕捉装置の下面図  （Ｄ）は被捕捉装置の側面図
【図１０】（Ａ）、（Ｂ）及び（Ｃ）は被捕捉装置の各種調節状態を示す断面図
【図１１】被捕捉装置の要部拡大図
【図１２】（Ａ）は閉扉装置による閉扉動作が開始される直前における扉装置を下方から視た断面図  （Ｂ）は閉扉装置による閉扉動作が終了した後における扉装置を下方から視た断面図
【図１３】（Ａ）、（Ｂ）及び（Ｃ）は扉アームを待機姿勢に復帰させる際に行われる動作の説明図
【図１４】従来の閉扉装置が取り付けられた扉装置を例示する部分斜視図
【発明を実施するための形態】
【００１５】
以下、本発明を実施するための最良の形態につき図１乃至図１３を参照して説明する。
【００１６】
図１は本発明の閉扉装置を備えた扉装置の実施形態の一例を示す部分斜視図である。図２は図１の扉装置を別の向きから視た部分斜視図である。
【００１７】
扉装置１０は、家屋の出入口等、建物の開口部に嵌め付けて設けられた扉枠２と、扉枠２に水平方向に回動自在に設けられた扉３とを有する。扉枠２は、建物の開口部の上縁部に設けられた上枠部材２Ａと、当該開口部の左右両側縁部に設けられた縦枠部材２Ｌ、２Ｒとを有している。扉３は、二つの縦枠部材２Ｌ、２Ｒのうちの一方（図示右側）の縦枠部材２Ｒに蝶番５を介して回転可能に連結されている。扉枠２の他方（図示右側）の縦枠部材２Ｌ及び上枠部材２Ａには、扉３を閉めた時に扉３の縁部が当たる戸当り４Ａ、４Ｂが設けられている。
【００１８】
閉扉装置１は、上枠部材２Ａに取り付けられた捕捉装置６と、扉３に取り付けられた被捕捉装置７とを有している。捕捉装置６は、上枠部材２Ａの蝶番５が取り付けられている縦枠部材２Ｒとは反対側の縦枠部材２Ｌの近傍に取り付けられている。
【００１９】
被捕捉装置７は、捕捉装置６の設置位置に対応させて、扉３の裏面の上端近傍の蝶番５が設けられていない方（戸先側）の端部近傍に取り付けられている。被捕捉装置７は、扉３の板面に固定して取り付けられた支持体３０と、支持体３０の先端部から上方に突き出ている棒状の被捕捉体３１と、被捕捉体３１の上下方向の保持位置を調節するための調節機構３７（図８参照）と、を有している。被捕捉体３１は、支持体３０に内蔵されたコイルスプリング３４（図１１参照）によって下方から弾力的に支えられている。
【００２０】
捕捉装置６は、扉枠２の開口部の上縁部に固定された固定要素４０と、固定要素４０に水平方向に回動可能に支持され且つ扉３の回動に伴って被捕捉装置７と係合したり離脱したりするように構成された扉アーム２０と、被捕捉装置７が扉アーム２０と係合していない時には扉アーム２０を被捕捉装置７との係合を待つ待機姿勢（図７（Ａ））に保持するべく、被捕捉装置７が扉アーム２０と係合した後には扉アーム２０を扉３を閉じる向きに強制的に回動させるべく、扉アーム２０に弾性力を作用させる付勢機構５０と、扉アーム２０が扉３を閉じる向きに回動している時にはその回動を抑制するべく、それとは逆向きに扉アーム２０が回動している時にはその回動を促進するべく、扉アーム２０に力を作用させる直動式の緩衝機構６０と、を有している。
【００２１】
固定要素４０は、扉枠２に固定される偏平な直方体形状の筐体７０を有する。そして、筐体７０内に、扉アーム２０と付勢機構５０と緩衝機構６０が共に収容されている。
【００２２】
筐体７０は、上枠部材２の戸当り４Ｂの一部を欠くことにより形成されたスペースＳに取り付けられている。筐体７０の上面部には、上枠部材２の戸当り４Ｂが嵌め付けられる溝２ａに丁度嵌る形状・寸法の突起部７１ｅが形成されている（図４、図６参照）。
【００２３】
筐体７０の扉３と対面する部分には、扉アーム２０が出入りする開口部７５が形成されている。筐体７０の底部には、扉３を閉止したときに被捕捉装置７の被捕捉体３１を受け入れる切欠部７６が形成されている。
【００２４】
扉アーム２０は、その回動中心から半径方向に延在して筐体７０の開口部７５から出没するアーム本体部２１を有する。アーム本体部２１の下面側には、その長手方向すなわち回動半径方向に延びるガイド溝２２が形成されている。ガイド溝２２は、アーム本体部２１の先端部から長手方向中央部まで延びている。そして、扉アーム２０が待機姿勢（図７（Ａ））の時に、扉３の閉じられる向きへの回動に伴って被捕捉体３１の先端部がガイド溝２２内に扉アーム２０の先端から受け入れられるように構成されている。
【００２５】
また、アーム本体部２１の扉３に面する側部には、扉アーム２０が筐体７０内に完全に収容されている状態（図７（Ｂ）の状態）においても、扉３を閉めることによって被捕捉体３１をガイド溝２２内に案内できるようにするためのガイド面２０ａが形成されている。ガイド面２０ａは、円弧状に湾曲した滑らかな凹曲面である（図４参照）。
【００２６】
扉アーム２０は、付勢機構５０による弾性力と緩衝機構６０による緩衝力とが作用するカム部１４を有している。付勢機構５０と緩衝機構６０はカム部１４を挟んで互いに直列に並べて設けられており、付勢機構５０による弾性力と緩衝機構６０による緩衝力がカム部１４の両側から互いに逆向きに作用する構造になっている。カム部１４は、アーム本体部２１の基部に一体化して設けられている。
【００２７】
付勢機構５０は、筐体７０の長手方向に直線的に進退移動する第１スライダ５１と、カム部１４の第１カム面１４Ａに第１スライダ５１を介して弾性反発力を作用させるスプリング５２とを有する。
【００２８】
緩衝機構６０は、筐体７０の長手方向に直線的に進退移動する第２スライダ６１と、カム部１４の第２カム面１４Ｂに第２スライダ６１を介して制動力を作用させる直動式のダンパ６２とを有する。ダンパ６２は、並列に配置した２つのダンパユニット６２Ｕ、６２Ｕからなる。各ダンパユニット６２Ｕは、出力軸６２ａと、出力軸６２ａを軸方向に進退自在に保持しているユニット本体６２ｂとを有する。ユニット本体６２ｂ内には、出力軸６２ａを伸張方向に付勢しているスプリング（図示省略）と、出力軸６２ａの縮長方向への移動に制動力を作用させるオイルなどの抵抗流体（図示省略）が収容されている。緩衝機構６０は、扉アーム２０が扉３を閉じる向きに回動している時に、カム部１４の第２カム面１４Ｂの回動に伴って水平方向に圧縮され反発することにより制動力を発生する。
【００２９】
扉アーム２０は、扉３が閉止されている時（図１２（Ｂ）参照）には、その全体が筐体７０の中にあり、待機姿勢の時には、その先端側が筐体７０の開口部７５から扉３側に出ている。
【００３０】
つぎに、捕捉装置６の構成及び動作について図４及び図７を参照してより詳細に説明する。
【００３１】
上述したように捕捉装置６は、扉枠の上枠部材２Ａに固定された固定要素４０を有している。固定要素４０は、扉枠の上枠部材２Ａに固定された偏平な直方体形状の筐体７０と、筐体７０に被せて取り付けられるカバー８０とを有する。
【００３２】
筐体７０は、その上部を成す上側筐体部材７１と下部を成す下側筐体部材７２とを有する。カバー８０は、下側筐体部材７２の外側に被せて設けられる。カバー８０には、筐体７０の開口部７５と重なる位置に、アーム本体部２１が出入りする開口部７８が形成されている。カバー８０の底部には、扉３を閉止したときに被捕捉装置７の被捕捉体３１を受け入れる切欠部７７が形成されている。
【００３３】
上側筐体部材７１の上板部７１ａと下側筐体部材７２の下板部７２ａには、第１スライダ５１を案内するための第１ガイドスリット７１ｂ、７２ｂと、第２スライダ６１を案内するための第２ガイドスリット７１ｃ、７２ｃと、扉アーム２０を回動可能に支持するための支軸２５が挿通される軸孔７１ｄ、７２ｄと、上下の筐体部材７１、７２同士を固定するための留めピン７３が挿通される留め孔７１ｇ、７２ｇとが、それぞれ上下に連通する位置に形成されている。
【００３４】
上側筐体部材７１の左右両端には、上板部７１ａの両端部を下方に屈曲させて形成された端板部７１Ｌ、７１Ｒと、上板部７１ａの側縁部を上方にＬ字形状に屈曲させて形成された突起部７１ｅ、７１ｅが設けられている。突起部７１ｅ、７１ｅは、左右方向（上枠部材２Ａの長手方向）二カ所に設けられている。突起部７１ｅ、７１ｅは、上枠部材２の戸当り４Ｂが嵌め付けられる溝２ａ（図６参照）に丁度嵌る形状・寸法に設計されている。突起部７１ｅ、７１ｅには、上側筐体部材７１を上枠部材２に適宜位置決めして螺子７４で締着固定するための長孔７１ｆ、７１ｆが形成されている。
【００３５】
第１スライダ５１の上下両面には、第１ガイドスリット７１ｂ、７２ｂに摺動自在に嵌合するガイド突起５１ａ、５１ｂが形成されている。第１スライダ５１の基端部には、スプリング５２の先端部が挿入される保持孔５１ｃが形成されている。スプリング５２は、その先端部を保持孔５１ｃに挿入した状態で、第１スライダ５１と上側筐体部材７１の一方（この例では左側）の端板部７１Ｌとの間に圧縮された状態で設けられている。第１スライダ５１の先端部には、第１スライダ５１のスライド方向と直交する先端面５１ｄと、この先端面５１ｄに対して約４５度傾斜した傾斜面５１ｅとが形成されている。傾斜面５１ｅは先端面５１ｄから滑らかに連続して開口部７５側に形成されている。
【００３６】
第２スライダ６１の上下両面には、第２ガイドスリット７１ｃ、７２ｃに摺動自在に嵌合するガイド突起６１ａ、６１ｂが形成されている。第２スライダ６１の基端部には、ダンパ６２の出力軸６２ａの先端部が挿入される保持孔（図示省略）が形成されている。ダンパ６２は、その出力軸６２ａの先端部を保持孔に挿入した状態で、第２スライダ６１と上側筐体部材７１の一方（この例では右側）の端板部７１Ｒとの間に圧縮された状態で設けられている。第２スライダ６１の先端部には、第２スライダ６１のスライド方向に対して約６０度傾斜した傾斜面６１ｅが形成されている。第２スライダ６１の傾斜面６１ｅは、第１スライダ５１の傾斜面５１ｅに対して逆向き（手前に向かって互いに開く向き）に傾斜している。
【００３７】
扉アーム２０は基部に軸孔２３を有しており、その軸孔２３に嵌め付けて固定された回転軸受け２４を介して支軸２５に回転自在に連結されている。支軸２５は、上下の筐体部材７１、７２間に扉アーム２０を配置した後、下側筐体部材７２側から軸孔７２ｄ、７１ｄに挿通して設けられる。
【００３８】
扉アーム２０のカム部１４は、第１スライダ５１と第２スライダ６１との間に挟まれており、第１カム面１４Ａには第１スライダ５１が、第２カム面１４Ｂには第２スライダ６１が常に圧接している。
【００３９】
カム部１４は、互いに上下に離間した板部１４Ｕ、１４Ｌを有する。両板部１４Ｕ、１４Ｌには、上下に貫通した軸孔１４ｂ、１４ｂが形成されており、軸孔１４ｂ、１４ｂに挿通された支軸２６にコロ（小回転子）２９が回転自在に軸支されている。そして、コロ２９の外周面が第１カム面１４Ａを成している。第２カム面１４Ｂは、カム部１４のコロ２９が設けられている部分から第２カム面１４Ｂ側に円弧状に膨出しつつ扉アーム２０の回動中心に向かって延びている部分からなる。
【００４０】
また、扉アーム２０の基部には、扉アーム２０の開扉側への最大回動範囲を規定する突起部２７が形成されている。この突起部２７が第２スライダ６１の側面に当接することにより、開扉側への扉アーム２０の回動が制限される。そして、扉アーム２０が開扉側に最大限回動したとき、第１カム面１４Ａが第１スライダ５１の傾斜面５１ｅに係止された状態になって、その回動姿勢が保持される。図７（Ａ）はこの時の状態（待機状態）を示している。
【００４１】
図７（Ａ）の状態から、扉アーム２０を閉扉側に回動させていくと、第１カム面１４Ａが第１スライダ５１の傾斜面５１ｅから先端面５１ｄに移動する。傾斜面５１ｅから先端面５１ｄに移動するとき付勢機構５０は一旦圧縮されるが、その後はスプリング５２の弾発力により伸張する。この弾発力によって第１カム面１４Ａが押圧され、扉アーム２０が閉扉側に強制回動される。このときの第２カム面１４Ｂの回動に伴って第２スライダ６１が押圧され、緩衝機構６０のダンパ６２が圧縮されるため、抗力が扉アーム２０に作用する。これらの一連の動作により、扉３の閉まり際すなわち被捕捉装置７が扉アーム２０に係合した後における扉３の急峻な回動が防止され、扉３が強制的に且つ静かに閉められる。
【００４２】
図７（Ｂ）の状態から、扉アーム２０を開扉側に回動させていく場合、第１カム面１４Ａによって第１スライダ５１の先端面５１ｄが押されるため、付勢機構５０のスプリング５２の弾発力が扉アーム２０の開扉側への回動を制する力として働く。その一方で、緩衝機構６０のダンパ６２が圧縮状態から伸張状態に復元しようとするため、ダンパ６２による押圧力がスプリング５２の弾発力とは逆向きに第２カム面１４Ｂに作用する。その結果、スプリング５２による力がダンパ６２の力によって大部分相殺される。扉アーム２０が開扉側に更に回動すると、第１カム面１４Ａが第１スライダ５１の先端面５１ｄから傾斜面５１ｅに移動する。この時点で、第１カム面１４Ａが第１スライダ５１の傾斜面５１ｅに係止され、扉アーム２０が開扉側に最大限回動した姿勢に保持される。これらの一連の動作により、扉３が完全に閉まっている状態から扉３を開扉する際、扉３の取手に大きな力を加えずに済む。
【００４３】
つぎに、被捕捉装置７の構成及び動作について図８乃至図１１を参照してより詳細に説明する。
【００４４】
被捕捉装置７は、支持体３０と、支持体３０に保持された被捕捉体ユニット３２と、支持体３０の側面及び下面を覆うカバー３６とで構成されている。
【００４５】
支持体３０は、扉３に螺子（図示省略）で締着して固定される座部３０ａと、座部３０ａの中央部から突出してその先端部に被捕捉体ユニット３２を保持する保持部３０ｂと、を有している。座部３０ａの左右には、螺子通し孔３０ｃが形成されている。螺子通し孔３０ｃは、扉３の板面に対する支持体３０の水平方向の取り付け位置の微調整を可能にするべく横長に形成されている。保持部３０ｂは、その先端部に上下方向に貫通した貫通孔３０ｄを有する円筒状の部分３０ｅが形成されている。保持部３０ｂの円筒状の部分３０ｅと座部３０ａとの間には、軽量化を図る目的で、上下に貫通した空間３０ｆが形成されている。支持体３０の上端部には、保持部３０ｂの先端部と座部３０ａの上縁部とを平らに結ぶ頂部が丸みを帯びた二等辺三角形状の天板部３０ｇが形成されている。
【００４６】
被捕捉体ユニット３２は、被捕捉体３１と、被捕捉体３１を互いに同軸的にスライド可能に収容している筒状のユニット本体３３と、被捕捉体３１をユニット本体３３から上方に突き出させた状態に弾力的に支えているコイルスプリング（弾性部材）３４と、を備えている。
【００４７】
被捕捉体３１は、その下半部の外径が上半部の外径よりも大きくなっており、その境目に段差部３１ｂが形成されている。この段差部３１ｂがユニット本体３３の上端開口部３３ａの縁部に当接することにより、ユニット本体３３に対する被捕捉体３１の上方への移動が制限される。
【００４８】
被捕捉体３１の下半部は、円筒状に形成され、その中にコイルスプリング３４が挿入されている。被捕捉体３１とコイルスプリング３４をユニット本体３３内に組み込んだ後、ユニット本体３３の下端開口部３３ｂは、座駒３５で塞がれている。座駒３５は、ユニット本体３３の下端開口部３３ｂに圧入され、空回りしないように固定されている。被捕捉体３１の下端が座駒３５に当接することにより、ユニット本体３３に対する被捕捉体３１の下方への移動が制限される。コイルスプリング３４は、被捕捉体３１と座駒３５との間に挟まれて圧縮され反発することにより、被捕捉体３１をユニット本体３３の上端から突出させる向き（上向き）に常時付勢している。
【００４９】
支持体３０の保持部３０ｂには、上下方向に貫通した貫通孔３０ｄが形成されており、この貫通孔３０ｄに被捕捉体ユニット３２が装着されている。
【００５０】
貫通孔３０ｄの内面部は、その上端から半分強の部分を占める螺子孔部３０ｄ１と、残りの部分を占める回転防止部（拡径部）３０ｄ２とからなる。回転防止部３０ｄ２の内径は、螺子孔部３０ｄ１の内径よりも若干大径である。
【００５１】
ユニット本体３３の外面部は、その下端部を除いて大部分が螺子部３３ｃで構成されている。ユニット本体３３の下端部には、螺子部３３ｃよりも若干大径のヘッド部（拡径部）３３ｄが形成されている。螺子部３３ｃは保持部３０ｂの螺子孔部３０ｄ１に螺合する部分であり、ヘッド部３３ｄは保持部３０ｂの回転防止部３０ｄ２に嵌合する部分である。この実施形態では、螺子孔部３０ｄ１を有する支持体３０の保持部３０ｂが雌螺子として機能し、これに螺合する螺子部３３ｃを有するユニット本体３３が雄螺子として機能することにより、被捕捉体３１の上下方向の保持位置を調節するための調節機構３７が構成されている。回転防止部３０ｄ２は、貫通孔３０ｄ内におけるヘッド部３３ｄの上下移動を許容する所定範囲の部分に形成されている。
【００５２】
被捕捉体ユニット３２の下端面には、十字ドライバ等の工具（操作具）を使用して被捕捉体ユニット３２を回動操作するための十字穴（操作穴）３２ａが形成されている。この例では、ユニット本体３３の下端開口部３３ｂに圧入された座駒３５の下面に十字穴（操作穴）３２ａが形成されている。被捕捉体ユニット３２を十字ドライバ等の操作具を使用して回動操作することにより、被捕捉体ユニット３２を支持体３０に対して上下に移動させて、被捕捉体３１の上下方向の保持位置を調節することができる。
【００５３】
図１０に示すように、支持体３０に対する被捕捉体ユニット３２の上下方向への移動は、回転防止部３０ｄ２内でヘッド部３３ｄが移動し得る範囲内において許容される。図１０において、（Ａ）は被捕捉体ユニット３２の位置を最も高位置に調節した状態、（Ｃ）は被捕捉体ユニット３２の位置を最も低位置に調節した状態、（Ｂ）は（Ａ）と（Ｃ）の中間の位置に調節した状態をそれぞれ示している。
【００５４】
図１１に示すように、ユニット本体３３のヘッド部３３ｄは、角部Ａが丸みを帯びた多角形状（この例では１２角形状）に形成されている。一方、貫通孔３０ｄの回転防止部３０ｄ２は、辺部Ｂが内側に凸となるように円弧状に丸みを帯びた多角形状（この例では１２角形状）に形成されている。ヘッド部３３ｄと回転防止部３０ｄ２は、互いの辺部同士を圧接させた状態で嵌合している。支持体３０及びユニット本体３３は、その一方又は両方が若干弾性変形することにより、支持体３０に対する被捕捉体ユニット３２の回動操作を許容する。この構成により、支持体３０に対する被捕捉体ユニット３２の回動操作を可能にしつつ、支持体３０に対するユニット本体３３の上下位置調節後における不用意な動きを確実に防止している。
【００５５】
被捕捉体ユニット３２を支持体３０に対する上下位置調節を行った後、支持体３０にカバー３６が取り付けられる。カバー３６の左右両端には、支持体３０の座部３０ａの両端縁部を抱き込むようにして扉３の板面との間に入る折り返し部３６ａが形成されている。一方、座部３０ａの両端縁部には、扉３の板面との間に折り返し部３６ａを受け入れて、折り返し部３６ａと互いに上下にスライド可能に嵌合する凹部３０ｈが形成されている。
【００５６】
カバー３６は、支持体３０を扉３の板面に固定した状態で、左右の折り返し部３６ａを支持体３０の座部３０ａの左右の凹部３０ｈに嵌め合わせるように支持体３０の下方から上向きにスライドさせて装着される。カバー３６を装着することにより、支持体３０の側面及び下面がカバー３６で覆われた状態になる。カバー３６は、その内部に係止爪３６ｂを有しており、この係止爪３６ｂが支持体３０の内部の係止段部３０ｉに係合することにより、使用時におけるカバー３６の外れが防止される。
【００５７】
次に、上記のように構成された閉扉装置１の動作について説明する。
【００５８】
被捕捉装置７が扉アーム２０と係合していない時、すなわち、扉３が扉アーム２０と被捕捉装置７とが係合し得る開度よりも大きく開いている時、扉アーム２０は付勢機構５０の弾性力によって待機姿勢に保持されている。扉３を閉扉する際、図１２（Ａ）に示すように、扉３と共に被捕捉装置７が捕捉装置６に接近し、扉３の開度が所定の開度になった時点で、被捕捉装置７が扉アーム２０と係合する。その後更に扉３を閉めて行くと、扉アーム２０が待機姿勢から扉３を閉じる向きに回動し始める。それと同時に、付勢機構５０の弾性力が、扉アーム２０を扉３を閉じる向きに強制的に回動させる力として働き始める。この扉アーム２０の強制的な回動に伴って、扉３が強制的に閉じられていく。この時、扉アーム２０の回動を抑制するように緩衝機構６０の抗力が効き始めることにより、扉３の急峻な動きが防止される。これにより、扉３が強制的に且つ静かに閉められる。
【００５９】
一方、図１２（Ｂ）に示すように、扉３が完全に閉まっている状態から扉３を開ける場合、扉３の開扉動作に伴って扉アーム２０が待機姿勢となる向きに回動し始める。それと同時に、緩衝機構６０の反発力が、扉アーム２０を扉３を開く向きに回動させる力として働き始め、扉３を開く向きへの扉アーム２０の回動が促進される。その結果、扉３を手動で開く際に、扉３の取手に大きな力を加えずに済むようになる。緩衝機構６０として直動式ダンパ６２を使用しているため、閉扉する際には扉３を静かに閉じることができ且つ開扉する際には扉３を弱い力で開けることができる閉扉装置１を捕捉装置６を大型化することなく実現できる。
【００６０】
また、扉３が閉扉状態になっていないにも拘わらず、何らかの原因で扉アーム２０が筐体７０内に収容された状態（図７（Ｂ）の状態）になっている場合でも、扉３を一旦閉じてから開くことにより、扉アーム２０を待機状態（図７（Ａ）の状態）に復帰させることができる。図１３はこのときの動作を示している。図１３（Ａ）の状態から扉３を閉じていくと、被捕捉体３１の先端３１ａがガイド面２０ａに沿って下方に案内され、それに伴って被捕捉体３１が押し下げられていく。そして、図１３（Ｂ）に示すように被捕捉体３１の先端３１ａがガイド面２０ａを通過してアーム本体部２１の下端に達した状態を経て、図１３（Ｃ）に示すように被捕捉体３１がガイド溝２２に係合した状態になる。この状態になってから扉３を開くことにより、扉アーム２０を待機状態に復帰させることができる。
【００６１】
この実施形態の構成によれば、被捕捉体３１の上下方向の保持位置を調節するための調節機構３７を備えているので、扉３を閉じたときに被捕捉体３１の先端部３１ａが扉アーム２０のガイド溝２２内に確実に受け入れられるように、扉アーム２０と被捕捉体３１との上下方向の相対位置を適切に調整することができる。
【００６２】
また、扉枠２の上枠部材２Ａに固定される偏平な直方体形状の筐体７０内に扉アーム２０と付勢機構５０と緩衝機構６０を共に収容し、筐体７０の扉３と対面する部分に、扉アーム２０が出入りする開口部７５を設けたことにより、扉枠２に固定される固定要素４０を小型化し、外観的には可動部を扉アーム２０のみとした単純な外観形態の閉扉装置１を実現できる。
【００６３】
また、捕捉装置６が、扉枠２を構成する上枠部材２Ａの蝶番５が取り付けられている側（吊元側）とは反対側（戸先側）の端部に取り付けられていることにより、扉３を開く際、緩衝機構６０の反発力（復元力）を、扉３の開きを促進するための力として最大限有効に働かせることができる。したがって、緩衝機構６０の反発力（復元力）が微弱であっても、扉３を開く際における扉３の開きを助ける効果が得られる。
【００６４】
また、付勢機構５０による弾性力と緩衝機構６０による緩衝力を扉アーム２０に作用させるためのカム部１４を、扉アーム２０と一体化したことにより、部品点数を削減できる。筐体７０内に収容される部品の点数が少なくなることにより、筐体７０を小型化できる。また、付勢機構５０と、緩衝機構６０とを、カム部１４を挟んで互いに直列に並べて設けたことにより、筐体７０の短寸方向の幅寸法及び高さ寸法を小さくできるので、取り付けスペースが狭く限られた扉枠２に捕捉装置６を取り付ける上で極めて有利である。筐体７０の短寸方向の幅寸法及び高さ寸法を小さくできた結果、上枠部材２に設けられる戸当り４Ｂの設置スペースＳを利用して、上枠部材２の下面部に筐体７０を取り付けることができる。上枠部材２の戸当り４Ｂが嵌め付けられる溝２ａに筐体７０の上面部に設けられた突起部７１ｅが丁度嵌るように構成したので、上枠部材２に対する筐体７０の取り付け精度を高めることができる。
【００６５】
なお、上記実施形態では、本発明の閉扉装置を左開きタイプの扉に適用した例を示したが、右開きタイプの扉にも有効に適用できることはいうまでもない。
【００６６】
また、上記実施形態では、被捕捉体３１を弾力的に支える弾性部材としてコイルスプリング３４を使用しているが、コイルスプリングに限らず、板バネやガススプリング等その他の弾性反発手段を用いてもよい。
【００６７】
また、上記実施形態では、ヘッド部３３ｄの形状を、角部が丸みを帯びた多角形状とし、回転防止部３０ｄ２の形状を、辺部が内側に凸となるように円弧状に丸みを帯びた多角形状としたが、これとは逆に、ヘッド部３３ｄの形状を、辺部が外側に凸となるように円弧状に丸みを帯びた多角形状とし、回転防止部３０ｄ２の形状を、角部が丸みを帯びた多角形状としてもよい。
【００６８】
また、上記実施形態の閉扉装置１は、カバー３６及び８０を備えているが、カバー３６及び８０は必須の構成要素ではない。
【符号の説明】
【００６９】
１  閉扉装置
２  扉枠
３  扉
６  捕捉装置
７  被捕捉装置
２０  扉アーム
２２  ガイド溝
３０  支持体
３０ｄ  貫通孔
３０ｄ１  螺子孔部
３０ｄ２  回転防止部（拡径部）
３１  被捕捉体
３２  被捕捉体ユニット
３３  ユニット本体
３３ｃ  螺子部
３３ｄ  ヘッド部（拡径部）
３４  コイルスプリング（弾性部材）
３６  カバー
３７  調節機構
【図１】
0005558967.tif 000002
【図２】
0005558967.tif 000003
【図３】
0005558967.tif 000004
【図４】
0005558967.tif 000005
【図５】
0005558967.tif 000006
【図６】
0005558967.tif 000007
【図７】
0005558967.tif 000008
【図８】
0005558967.tif 000009
【図９】
0005558967.tif 000010
【図１０】
0005558967.tif 000011
【図１１】
0005558967.tif 000012
【図１２】
0005558967.tif 000013
【図１３】
0005558967.tif 000014
【図１４】
0005558967.tif 000015